(57)【要約】      （修正有）【課題】着用者がたとえ高齢者であっても、上着のスライドファスナーの引き手の引き上げ及び引下げ作業が容易になし得ると共に、着衣時に無理なく収容でき、紛失のしにくいスライダー上げ下げ補助具を提供する。【解決手段】スライドファスナーＦのスライダー上げ下げ補助具は、上着Ｏの背中部分に上下方向に縫製されているスライドファスナーＦの引き手Ｈに掛け止めして、スライダーＳを引き上げ叉は引下げる補助具であって、可撓性のある一定長さの紐体１Ｂと、紐体１Ｂの一端部に接続され、スライダーＳの引き手Ｈに掛け止め叉は掛け外しが自在な止め金具２と、紐体１Ｂの他端部に接続され、スライダーＳの引き手Ｈに掛け止めされた止め金具２によりスライドファスナーＦを、紐体１Ｂを介して引き上げ叉は引下げる重り３とから成る。【選択図】図４
0003155703.tif 000002
【実用新案登録請求の範囲】
【請求項１】
上着の背中部分に上下方向に縫製されているスライドファスナーの引き手に掛け止めして、スライダーを引き上げ叉は引き下げる補助具であって、
可撓性のある一定長さの紐体と、
前記紐体の一端部に接続され、前記スライダーの引き手に掛け止め叉は掛け外しが自在な止め金具と、
前記紐体の他端部に接続され、前記スライダーの引き手に掛け止めされた止め金具により、前記スライダーを前記紐体を介して引き上げ叉は引き下げる重りと、
から成ることを特徴とするスライドファスナーのスライダー上げ下げ補助具。
【請求項２】
請求項１に記載のスライドファスナーのスライダー上げ下げ補助具において、
紐体は、繊維叉はプラスチックからなり、
前記止め金具と紐体との間には、チェーンが介設されていることを特徴とするスライドファスナーのスライダー上げ下げ補助具。
【請求項３】
請求項１記載のスライドファスナーのスライダー上げ下げ補助具において、
紐体は、チェーンであることを特徴とするスライドファスナーのスライダー上げ下げ補助具。
【請求項４】
請求項３記載のスライドファスナーのスライダー上げ下げ補助具において、
チェーンは、その途中部分において二分割され、
一方の側のチェーン端には、雄金具が接続され、
他方の側のチェーン端には、雌金具が接続されてなり、
これら両金具の着脱により、前記チェーンが途中で切り離し叉は接続が自在であることを特徴とするスライドファスナーのスライダー上げ下げ補助具。
【考案の詳細な説明】
【技術分野】
【０００１】
本考案は、上着の背中部分に縫製されているスライドファスナーのスライダー上げ下げ補助具に関し、具体的にはスライダーを着用者に無理な体形を強いることなく容易に上げ下げ可能にする補助具に関する。
【背景技術】
【０００２】
従来より、女性が上着を着用するに際し、難題が一つある。
【０００３】
それはフォーマルウェア、ワンピース等に見られる如く、女性の上着の背中部分には、スライドファスナー（別名：ジッパー）があり、これを着用時には引き上げ、脱衣時には引き下げなければならないが、この作業が大変にしずらいことである。
【０００４】
例えば、フォーマルウェアを女性が着用するには、その背中部分にあるスライドファスナーのスライダーを最下部から最上部にまで自分の手で引き上げねばならない。
【０００５】
この場合、スライドファスナーのスライダーがまだ最下部の自分の腰付近にあるうちは左右のいずれの手も肩と腰の間から容易に届くから問題はない。
【０００６】
しかし、スライダーを自分の首の後に位置する上着の最上部にまで引き上げる段になると、スライダーを丁度、左右両側にある肩甲骨の中央付近を通過させなければならないが、この部分には左右のいずれの手も手先が届かないために、スライダーを引き上げることができないのである。同様に、脱衣時にスライダーを上着の最上部から最下部にまで引き下げる場合も、肩甲骨の中央付近を通過しずらいために引き下げにくいのである。
【０００７】
フォーマルウェアの着用は、自宅から出かける時間の都合上、なるべく早く着込んで身づくろいをしなければならないが、スライダーの引き上げ作業に手間取り、時間が進むに反して気だけがあせる、というのは殆どの女性が経験し、現在もなおかつ直面している問題である。
【０００８】
このようなスライダーの引き上げ及び引下げ作業は、着用者が若くて体が柔らかいうちは問題ないが、加齢とともに困難になる。すなわち、お年寄りの場合は大変に難儀な作業であり、今後の高齢化社会においては是非とも解決したい問題である。
【０００９】
従来、このような問題を解消せんとするものに、例えば特許文献１に記載のジップアッパーがあった。
【００１０】
このジップアッパーは、長さが５５ｃｍ程度の柄部分と、その一端部に固定された引き手と、柄部分の他端部に設けた指掛けとから成り、上記柄部分が折れ尺構造になっていることを特徴とするものである。そして、使用に際しては、着用者が折れ尺を延ばして、先端の引き手をスライドファスナー引っ掛け、次に指掛けに指を入れて肩越しに引き上げるというものである。
【００１１】
しかしながら、この従来のジップアッパーは、柄部分が折れ尺構造になっているので収納に多少便利ではあるが、全体としては嵩張るうえ、着衣及び脱衣後はポケット等に収納を要し、紛失する虞れがあるという問題があった。
【先行技術文献】
【特許文献】
【００１２】
【特許文献１】特開２００５−２３０４７９号公報（請求項２、図１参照）
【考案の概要】
【考案が解決しようとする課題】
【００１３】
そこで本考案は、上記のような問題を解消すべくなされたもので、着用者がたとえ高齢者であっても、上着の背中に縫製されているスライドファスナーの引き手の引き上げ及び引下げ作業を容易になし得るとともに、着衣時に無理なく収容でき、紛失するおそれのないスライダーの上げ下げ補助具を提供することを目的とする。
【課題を解決するための手段】
【００１４】
上記課題を解決するため、本考案に係る請求項１記載のスライドファスナーのスライダー上げ下げ補助具は、上着の背中部分に上下方向に縫製されているスライドファスナーの引き手に掛け止めして、スライダーを引き上げ叉は引下げる補助具であって、可撓性のある一定長さの紐体と、前記紐体の一端部に接続され、前記スライダーの引き手に掛け止め叉は掛け外しが自在な止め金具と、前記紐体の他端部に接続され、前記スライダーの引き手に掛け止めされた止め金具により、前記スライダーを前記紐体を介して引き上げ叉は引下げる重りとから成ることを特徴とする。
【００１５】
ここで、本考案で言う「紐体」とは、スライドファスナーの引き手を上げ下げするに際して使用するもので、全体として屈曲が自在な、例えば紐、チェーン等の可撓性を有する一定長さの細い線状体のことをいう。
【００１６】
請求項２記載のスライドファスナーのスライダー上げ下げ補助具は、請求項１に記載のスライドファスナーのスライダー上げ下げ補助具において、紐体は、繊維叉はプラスチックからなり、前記止め金具と紐体との間には、チェーンが介設されていることを特徴とする。
【００１７】
請求項３記載のスライドファスナーのスライダー上げ下げ補助具は、請求項１記載のスライドファスナーのスライダー上げ下げ補助具において、紐体は、チェーンであることを特徴とする。
【００１８】
請求項４記載のスライドファスナーのスライダー上げ下げ補助具は、請求項３記載のスライドファスナーのスライダー上げ下げ補助具において、チェーンは、その途中において二分割されているとともに、一方の側のチェーン端には、雄金具が接続され、他方の側のチェーン端には、雌金具が接続されてなり、これら両金具の着脱により、前記チェーンが途中で切り離し叉は接続が自在であることを特徴とする。
【考案の効果】
【００１９】
請求項１の補助具によれば、スライダーの引き手に対し、可撓性のある十分長い一定長さの紐体の一端部に接続された止め金具を、着衣前叉は着衣後に掛け止めしてスライダーを引き上げ叉は引き下げるので、従来、スライダーを通過させることが困難であった着用者の肩甲骨の中央付近を容易に通過させることができる。
【００２０】
よって、上着の着用者がたとえ高齢者であっても、上着のスライドファスナーの引き手の引き上げ及び引下げ作業を容易になし得る。
【００２１】
叉、上着の最上部にまでスライダーを引き上げた後は、上着と下着との間に重りを落とし込んで紐体の大部分を収納できるため、脱衣時には引き出して使用することができ、着衣時に無理なく収容できることに加えて、従来の補助具のような紛失の虞は全くない。
【００２２】
請求項２の補助具によれば、紐体が繊維叉はプラスチックからなるので、軽量であり、また、止め金具と紐体との間にチェーンが介設されているので、請求項１の補助具の効果に加え、紐体全体が着用者の背中ラインに良くフィットして使用できる。
【００２３】
請求項３の補助具によれば、紐体の全体がチェーンで構成されているので、請求項１の補助具の効果に加え、ファッション性に優れると共に、より一層柔軟性と携帯性に優れる効果を有する。
【００２４】
請求項４の補助具によれば、チェーンは、その途中部分において二分割されているとともに、チェーンの切り離し叉は接続が自在の接続金具が設けられているので、請求項３の補助具の効果に加え、上着の最上部にまでスライダーを引き上げた後に上着と下着との間に重りを落とし込む際には、接続金具を開放して切り離し、スライダーの引き手に引っ掛けられている方のチェーンのみを上着と下着との間に収納でき、収納長さが短くて済む効果を有する。
【００２５】
また、スライダーの引き下げ時には、上着と下着との間に収納したチェーンを取り出し、保管しているチェーンを接続金具により接続して使用することができるため、非常に便利である。
【図面の簡単な説明】
【００２６】
【図１】本考案に係るスライダー上げ下げ補助具の第１実施形態の全体平面図である。
【図２】本考案に係るスライダー上げ下げ補助具の第２実施形態の図で、このうち図２（ａ）は、全体平面図、図２（ｂ）は、図２（ａ）のスライダー上げ下げ補助具の重り側部分の斜視図、図２（ｃ）は、図２（ａ）のスライダー上げ下げ補助具の止め金具側部分の斜視図である。
【図３】本考案に係る第２実施形態のスライダー上げ下げ補助具の使用図で、このうち図３（ａ）は、スライダーの引き手に補助具を掛けた状態を示す斜視図、図３（ｂ）は、第２実施形態のスライダー上げ下げ補助具でスライダーを引き上げる途中を示す斜視図である。
【図４】図３に続く状態を示した本考案に係る第２実施形態のスライダー上げ下げ補助具の使用図で、このうち図４（ａ）は、スライダー上げ下げ補助具の重り側を上着と下着との間に落とし込んだ図、図４（ｂ）は、補助具でスライダーを引き下げ始める状態を示す斜視図である。
【考案を実施するための形態】
【００２７】
以下に、本考案を実施するための形態を図面に基づいて説明する。
【００２８】
図１は、本考案に係るスライダー上げ下げ補助具（以下、「補助具」と略称する。）の第１実施形態の全体平面図である。図１において、補助具１０は、紐体１Ａ（別名：ファッションコード）と、紐体１Ａの左端部に接続された止め金具２（別名：ナスカン）と、紐体１Ａの右端部に接続された重り３（別名：アクセサリーパーツ）とからなる。
【００２９】
紐体１Ａの主体は、長さ方向の大部分を占めるプラスチック紐１ａにあり、その材質は、屈曲が自在な細い線状体である限り、繊維、プラスチック、金属等如何なるものでもよい。本実施形態では、プラスチック紐１ａは、特に限定するものではないが外径が約１ｍｍであり、その色は黒色である。プラスチック紐１ａを黒色にすれば上着Ｏ（図３（ｂ）参照）が例えばフォーマルウェアである場合、プラスチック紐１ａはフォーマルウェアと同色の黒色であるため同化して違和感が無いからである。
【００３０】
紐体１Ａは、黒色の他、着衣の色に合わせたり、ファッション性を高めるために他のカラーコードとしても良い。例えば、補助具１０が自分の専用であることを示すために使用者の好みの色にしても良い。
【００３１】
なお、紐体１Ａは、可撓性を有する所定長さの細い線状体であれば、プラスチック紐１ａ以外の他の付属品を付属させても良い。例えば本実施形態では、図に示すように、プラスチック紐１ａの両端にループ形成用金具１ｂ（別名：シルバーパーツ）を装着し、また、止め金具２とループ形成用金具１ｂとの接続用に、金属リング１ｃと、短いチェーン１ｄとを設けている。
【００３２】
紐体１Ａの上記「一定長さ」である全長Ｌは、スライドファスナーＦのスライダーＳ（図３（ａ）参照）を容易に上げ下げするには、使用者の身長にもよるが少なくとも３００ｍｍあればよく、長くても７００ｍｍ程度までであり、好ましくは５００ｍｍ〜７００ｍｍの範囲である。本考案では、紐体１Ａの長さは、必要に応じてプラスチック紐１ａの長さ調整をした後にループ形成用金具１ｂを装着することで、着用者の背丈に応じた最適長さに調整できるようになっている。
【００３３】
次に、止め金具２（別名：ナスカン）は、紐体１ＡをスライダーＳの引き手Ｈに掛け止め叉は掛け外しするためのもので、図の如く常時は内蔵されている図示省略のバネの付勢力により口が閉じているが、着衣者がレバー２ａを図の矢印方向に引き下げることにより、開口できるものである。
【００３４】
最後に、重り３は、紐体１Ａを引き上げ叉は引き下げ易くする摘まみであり、スライダーＳをファスナーＦの最上部に引き上げ切った後に上着Ｏと下着Ｕとの間に差し込み、その自重で落とし込む（詳細は図４（ａ）で後述する）ためのものである。
【００３５】
よって、その大きさは、外形寸法が１０ｍｍもあればよく、その重さは１ｇ〜２ｇ程度で十分である。止め金具２の外形寸法も同様であるが、本実施形態のように外形形状をハート形にすると持ちやすいうえ、ファッション性にも優れるので、使用者は使用に際して全く違和感がない。
【００３６】
次に、本考案の第２実施形態の補助具について説明する。
【００３７】
図２は、本考案の第２実施形態に係る補助具２０の図で、このうち図２（ａ）は、その全体平面図、図２（ｂ）は、図２（ａ）の補助具２０の重り３側部分の斜視図、図２（ｃ）は、図２（ａ）の補助具２０の止め金具２側部分の斜視図である。
【００３８】
なお、図２中で図１と同一符号の部材は、図１と同一の部材を示しているので、その説明は省略し、異なる部材のみを説明することにする。
【００３９】
本第２実施形態の補助具２０が、前述した第１実施形態の補助具１０と異なる点は、第１実施形態の補助具１０の紐体１Ａが概ねプラスチック製の紐から構成されているのに対し、第２実施形態の補助具２０は、その紐体１Ｂが接続金具４（別名：ニューホック）以外は金属チェーン５ａ、６ａで構成されている点である。
【００４０】
すなわち、この紐体１Ｂは、途中で止め金具側チェーン５と、重り側チェーン６とで二分割され、止め金具側チェーン５の長さＬ１は、重り側チェーン６の長さＬ２よりも短い関係にある（Ｌ１＜Ｌ２）。このように、止め金具側チェーン５の長さＬ１が重り側チェーン６の長さＬ２よりも短くなっている理由は、前述したように、本考案の補助具１０、２０の重り３側はスライダーＳを上着Ｏの最上部に上げ切った後に、重り３とそのチェーン６ａとを上着Ｏと下着Ｕとの間に落とし込むので、その落とし込み長さをなるべく短くするためである。
【００４１】
そして、止め金具側チェーン５のチェーン端には、重り側チェーン６との接続用の雌金具４ｂが接続され、一方、重り側チェーン６のチェーン端には、止め金具側チェーン５のとの接続用の雄金具４ａが接続され、両金具４ａ、４ｂの着脱により、図２（ａ）の状態に接続されたり、図２（ｂ）及び図２（ｃ）の状態に分離したりすることができるようになっている。
【００４２】
次に、本考案の補助具１０、２０の使用方法を図３及び図４に基づいて説明する。
【００４３】
なお、図３及び図４は、前述した第２実施形態の補助具２０の使用方法の説明図であるが、その中の基本的な使用方法は、前述した第１実施形態の補助具１０についても同じであるので合わせて説明する。
【００４４】
＜ステップ１＞
まず、図３（ａ）に示すように、上着Ｏを脱いだ状態で（叉は着た状態で）止め金具２をスライダーＳの引き手Ｈに止める。この時、スライダーＳはまだ引き上げていないから上着Ｏの最下部付近にある。以上は第１実施形態の補助具１０についても同様である。
【００４５】
＜ステップ２＞
次に、スライダーＳの引き手Ｈに止め金具２を引っ掛けた状態で上着Ｏを着用し、右手で（左利きの着用者は左手で）補助具２０の重り３（図２（ａ）参照）を摘まんだ後、その右手を脇の下から着用者の右肩の上部位置にまで持ち上げる。なお、この作業は、本考案では補助具２０の紐体１Ｂが着用者の背丈に応じた上記十分な長さとされているから、容易にすることができる。
【００４６】
図３（ｂ）は、着用者が補助具２０の重り３を摘まんだまま少し引き上げたことで、スライダーＳが少し矢印Ｙ方向に引き上げられた状態を示している。ここまでの操作は、第１実施形態の補助具１０についても同様である。
＜ステップ３＞
次に、図４（ａ）に示すように、スライダーＳが上着Ｏの最上端線に達したら、第２実施形態の補助具２０の雌金具４ｂを雄金具４ａから外すことにより、重り側チェーン６を取り去った後、着衣者が止め金具側チェーン５の雌金具４ｂを上着Ｏと下着Ｕとの間に折り返して落とし込み、図の状態とする。図の状態は、破線で示したように、止め金具側チェーン５の大部分が上着Ｏと下着Ｕとの間に隠れてしまっているから、これを他人が見た場合も違和感は全くない。
【００４７】
このように、重り側チェーン６を取り去った後、止め金具側チェーン５とその雌金具４ｂのみを上着Ｏと下着Ｕとの間に折り返して落とし込むのである。
【００４８】
一方、第１実施形態の補助具１０の場合は、重り３と紐体１ａのほぼ全長を上着Ｏの最上端から折り返して上着Ｏと下着Ｕとの間に折り返して落とし込むのである。
＜ステップ４＞
一方、上着Ｏを脱ぐときは、右手で（左利きの着用者は左手で）下着Ｕと上着Ｏとの間に落とし込まれている止め金具側チェーン５端の雌金具４ｂを引きずり出し、着用者が別に保管している重り側チェーン６の雄金具４ａと接続した後、重り３を摘まんでスライダーＳが上着Ｏの最下端位置に達するまで引き下げる。なお、第１実施形態の補助具１０の場合は、両金具４ａ、４ｂの接続は不要であるから、下着Ｕと上着Ｏとの間に落とし込まれている紐体１ａ及びその先端の重り３を引きずり出し、同様の作業をする。
【００４９】
この場合、脱衣者は本考案の補助具１０、２０がない場合は、前述したようにスライダーＳを肩上部の位置から肩甲骨の間を通過させて腰付近にまで引下げる作業が大変しずらかったのであるが、本考案の補助具１０、２０は、その紐体１ａ、１ｂが十分に長く設定されているから重り３に容易に手が届き、重り３を引き下げることで容易にスライダーＳを最上部から最下部にまで一気に引き下げることができる。
【００５０】
以上より、本考案に係る第１及び第２実施形態の補助具１０、２０は、その紐体１Ａ、１Ｂ部分が着用者の体位、背丈に応じた一定長さを有し、使用に際しては着用者の体位、背丈に馴染みつつ撓んで使用できるので、高齢者等に無理な体形を強いらずとも容易にスライダーＳの引き上げ叉は引下げ作業が可能になる。
【００５１】
また、第１及び第２実施形態のいずれの補助具１０、２０においても、その大部分は紐体１Ａ、１Ｂで構成されているから、軽量、小型であり、携帯にも非常に便利である。
【００５２】
そして、特筆すべきは第1、第２実施形態の補助具１０、２０は、いずれもスライダーＳをファスナーＦの最上部に引き上げた後は、紐体１Ａ、１Ｂを折り曲げてその先端の雌金具４ｂ叉は重り３をその自重により上着Ｏと下着Ｕとの間に落とし込み、この状態のままで上着Ｏを着用して活動できるから、取り外し時においても引き出すだけで再度使用ができ、従来の補助具のように補助具を紛失する虞もない。
【００５３】
そして、補助具１０、２０を上記のように上着Ｏと下着Ｕの間に収納しても、上着Ｏが例えばフォーマルウェアの場合は、着衣の色が黒系統であるから何ら外部から見えることがない。よって、着用者は何ら気にすることなく本考案の補助具１０、２０を使用することができる。
【００５４】
なお、本考案の補助具１０、２０は、上記第１及び第２の実施形態のものに限定されず、実用新案登録請求の範囲に記載された範囲で種々の変形、組み合わせが可能であり、これらの変形、組み合わせ例も本考案の範囲に含むことは勿論である。
【符号の説明】
【００５５】
１Ａ、１Ｂ    紐体
１ａ    プラスチック紐
１ｂ    ループ形成用金具
１ｃ    金属リング
１ｄ    短いチェーン
２    止め金具
３    重り
４    接続金具
４ａ    雌金具
４ｂ    雄金具
５    止め金具側チェーン
６    重り側チェーン
１０、２０  補助具（本考案）
Ｆ    スライドファスナー
Ｓ    スライダー
Ｏ    上着
Ｕ    下着
【図１】
0003155703.tif 000003
【図２】
0003155703.tif 000004
【図３】
0003155703.tif 000005
【図４】
0003155703.tif 000006